(57)【要約】【課題】静電気により電荷を受けた瞬間にも電界が発生せず、瞬時にその電荷を逃がすことができるので、表示誤動作を確実に回避できる表示装置を提供する。【解決手段】液晶パネル２において、その駆動のための配線３４を配置する面以外の５面を透明導電膜４で覆う。透明導電膜４は表面側と裏面側とが連結しているので、静電気による電荷は瞬時に移動して液晶には電界が生じず、表示誤動作が発生しない。さらに、板部３０から突出して液晶パネル２を保持するための押え部３１は導電性を有し、その付け根部分には接地部３３が形成されているので、透明導電膜４の電荷を瞬時に接地部３３に逃がすことができる。【選択図】図２
2011133594.tif 000002
【特許請求の範囲】
【請求項１】
板形状の液晶表示部と、
その液晶表示部の両側の主表面を当接して覆うように配置された透明導電膜と、を備え、
前記透明導電膜における前記液晶表示部の両側の主表面を覆う部分は、前記液晶表示部の側面部において、前記液晶表示部への配線を回避する位置で連結するように一体に形成され、
前記透明導電膜は接地部と電気的に接続されていることを特徴とする表示装置。
【請求項２】
前記透明導電膜により覆われた前記液晶表示部を保持するために形成された保持部を備え、
その保持部は導電性を有し、前記接地部と電気的に接続されている請求項１に記載の表示装置。
【請求項３】
前記液晶表示部を駆動する回路が形成された駆動部を備え、
その駆動部の前記回路内に前記接地部が形成され、
前記液晶表示部の駆動のための配線が配置された領域に、前記透明導電膜と前記駆動部に形成された前記接地部とを電気的に接続する配線が配置されている請求項１に記載の表示装置。
【請求項４】
前記液晶表示部を駆動する回路が形成された駆動部を備え、
その駆動部上に前記保持部が形成され、
その駆動部の前記回路内に前記接地部が形成されている請求項２に記載の表示装置。
【請求項５】
前記駆動部は、前記回路が形成された板部を備え、
前記保持部は、前記透明導電膜により覆われた前記液晶表示部を前記板部との間で当接して保持するために前記板部から突出して形成されて導電性を有する押え部を備え、
その押え部の付け根部分の前記回路内に前記接地部が形成されている請求項４に記載の表示装置。
【請求項６】
前記駆動部は前記回路が形成された板部を備え、
前記保持部は、前記透明導電膜により覆われた前記液晶表示部を載置するために前記板部から突出して形成されて導電性を有する台部を備え、
その台部の付け根部分の前記回路内に前記接地部が形成されている請求項４に記載の表示装置。
【発明の詳細な説明】
【技術分野】
【０００１】
本発明は、表示装置に関する。
【背景技術】
【０００２】
従来から車載表示装置、家電製品、計測器等の情報表示部分に液晶ディスプレイ（ＬＣＤ：Ｌｉｑｕｉｄ  Ｃｒｙｓｔａｌ  Ｄｉｓｐｌａｙ）が用いられている。しかしＬＣＤには使用者（人体）等から放電される静電気により、液晶が帯電して表示誤動作が発生するという問題がある。特に情報表示領域以外の液晶が静電気で表示誤動作を起こすと、電荷が逃げる場所がなく、比較的長時間誤表示が続いてしまう。このため例えば下記特許文献１には、ＬＣＤ表面及び裏面にＧＮＤ（接地）接続された透明導電膜を配置し、静電気による電荷を逃がす技術が開示されている。
【先行技術文献】
【特許文献】
【０００３】
【特許文献１】特開２００８−２３３８５３号公報
【発明の概要】
【発明が解決しようとする課題】
【０００４】
しかし上記文献の方法を実施した場合にも、静電気印加の瞬間は導電膜に電荷が存在する。また表面及び裏面の導電膜はＧＮＤを通して繋がっているが、構造上、両導電膜のＧＮＤポイントが異なるために高周波領域で両導電膜間のインピーダンスが大きい。特に静電気印加電圧が高い場合、このインピーダンスにより両導電膜間の電荷量の差が大きくなりＬＣＤの表示誤動作が発生することがあった。
【０００５】
そこで本発明が解決しようとする課題は、上記問題点に鑑み、静電気により電荷を受けた瞬間にも電界が発生せず、瞬時にその電荷を逃がすことができて、表示誤動作を確実に回避できる表示装置を提供することにある。
【課題を解決するための手段及び発明の効果】
【０００６】
上記課題を達成するために、本発明に係る表示装置は、板形状の液晶表示部と、その液晶表示部の両側の主表面を当接して覆うように配置された透明導電膜と、を備え、前記透明導電膜における前記液晶表示部の両側の主表面を覆う部分は、前記液晶表示部の側面部において、前記液晶表示部への配線を回避する位置で連結するように一体に形成され、前記透明導電膜は接地部と電気的に接続されていることを特徴とする。
【０００７】
これにより本発明に係る表示装置では、液晶表示部の表面側と裏面側を透明導電膜で覆うとともに、それらを側面の透明導電膜で連結し、その透明導電膜を接地するので、静電気などの影響で電荷を受けた場合にも、表面側と裏面側とにおける電荷が側面の透明導電膜を通じて瞬時に移動する。したがって電荷を受けた瞬間にも液晶表示部には電界がかからず、さらに接地部位へ電荷を瞬時に逃がすので、静電気などの影響でも表示誤動作が生じない表示装置が実現できる。
【０００８】
また前記透明導電膜により覆われた前記液晶表示部を保持するために形成された保持部を備え、その保持部は導電性を有し、前記接地部と電気的に接続されているとしてもよい。
【０００９】
これにより液晶表示部を保持する保持部に、接地部に電荷を逃がす機能も持たせるので、コンパクトな構成、部品点数の削減に寄与しつつ、表示誤動作を回避する表示装置が実現できる。
【００１０】
また前記液晶表示部を駆動する回路が形成された駆動部を備え、その駆動部の前記回路内に前記接地部が形成され、前記液晶表示部の駆動のための配線が配置された領域に、前記透明導電膜と前記駆動部に形成された前記接地部とを電気的に接続する配線が配置されているとしてもよい。
【００１１】
これにより液晶表示部の駆動のための配線の領域に、透明導電膜を接地する配線も装備するので、配線が整理される効果が得られる。
【００１２】
また前記液晶表示部を駆動する回路が形成された駆動部を備え、その駆動部上に前記保持部が形成され、その駆動部の前記回路内に前記接地部が形成されているとしてもよい。
【００１３】
これにより透明導電膜を駆動する回路を備えた駆動部に、透明導電膜を保持する保持部と、接地する接地部と、をさらに備えるので、従来からある液晶駆動部に、あらたな機能を付加してコンパクトな構成で表示誤動作を回避する表示装置が実現できる。
【００１４】
また前記駆動部は、前記回路が形成された板部を備え、前記保持部は、前記透明導電膜により覆われた前記液晶表示部を前記板部との間で当接して保持するために前記板部から突出して形成されて導電性を有する押え部を備え、その押え部の付け根部分の前記回路内に前記接地部が形成されているとしてもよい。
【００１５】
これにより駆動部の板部に液晶駆動回路を形成し、その板部から導電性を有する押え部を突出して形成して液晶表示部を保持し、その押え部の付け根に接地部を形成するので、こうした具体的な構成により、液晶を保持するための押え部を通じて電荷を瞬時に逃がして、表示誤動作を回避した表示装置が実現できる。
【００１６】
また前記駆動部は前記回路が形成された板部を備え、前記保持部は、前記透明導電膜により覆われた前記液晶表示部を載置するために前記板部から突出して形成されて導電性を有する台部を備え、その台部の付け根部分の前記回路内に前記接地部が形成されているとしてもよい。
【００１７】
これにより駆動部の板部に液晶駆動回路を形成し、その板部から導電性を有する台部を突出して形成して液晶表示部を載置し、その台部の付け根に接地部を形成するので、こうした具体的な構成により、液晶を載置するための台部を通じて電荷を瞬時に逃がして、表示誤動作を回避した表示装置が実現できる。
【図面の簡単な説明】
【００１８】
【図１】本発明における表示装置の実施例１を示す斜視図。
【図２】実施例１における表示装置の断面図。
【図３】実施例１における表示装置の拡大断面図。
【図４】実施例２における表示装置の断面図。
【図５】実施例３における表示装置の断面図。
【図６】実施例４における表示装置の断面図。
【発明を実施するための形態】
【００１９】
以下、本発明の実施例を図面を参照しつつ説明する。本発明ではＬＣＤに電界が加わってもＬＣＤ表面と裏面の電位差が０であれば液晶分子は動かないことに注目し、ＬＣＤの表面及び裏面に低インピーダンスで繋がりＧＮＤ接続された透明導電膜を配置することにより、静電気が印加されてもＬＣＤの表裏面の電位（帯電量）を同じにし、かつ帯電した静電気を瞬時にＧＮＤへ流すことによりＬＣＤの誤動作を防止する。
【００２０】
実施例１の具体的な構成は図１、２、３に示される。図１は、本発明に係る表示装置１の装置構成の概略図であり、図２はそのＡ―Ａ断面図である。図３はさらに拡大した図である。
【００２１】
表示装置１は、液晶パネル２、基板部３、透明導電膜４を備える。液晶パネル２の詳細は図３に示されている。同図のとおり、液晶パネル２は、図示上側からカバーガラス２０、偏光板２１、カラーフィルタ（ＣＦ）基板２２、液晶２３、アレイ（ＡＲ）基板２４、偏光板２５を積層して形成されている。図１の図示上側の面が使用者に向けて情報が表示される面である。
【００２２】
上下の偏光板２１、２５それぞれの偏光方向は、例えば偏光板２１は垂直方向、偏光板２５は水平方向とする。ＣＦ基板２２、ＡＲ基板２４はともに透明の基板であり、ＣＦ基板２２には、液晶２３の側にブラックマトリクスや、Ｒ（赤）、Ｇ（緑）、Ｂ（青）のカラーフィルタが配置されている。またＡＲ基板２４には、液晶２３の側にＴＦＴ等のアクティブ素子と電極がアレイ状に形成されている。
【００２３】
液晶２３は、ＣＦ基板２２とＡＲ基板２４との間に挟まれた空間に封入され、その周囲が封止剤２６によってシールされている。偏光板２１、２５はそれぞれＣＦ基板２２、ＡＲ基板２４の表面に透明の接着剤によって貼付されているとする。カバーガラス２０は透明で、例えばガラス製あるいは樹脂製とすればよい。
【００２４】
次に、基板部３は、液晶パネル２を駆動することとと液晶パネル２を固定することの２つの目的のために配置され、板部３０、台部３１、押え部３２を備える。板部３０、台部３１、押え部３２は全て透明とする。板部３０は薄い板形状で、図示上側の面に液晶パネル２を駆動するための回路が例えばプリントで形成されているとする。液晶パネル２とその回路が通常複数のリード線３４で接続されている。
【００２５】
台部３１は、板部３０の図示上側の面の複数箇所（例えば４箇所）において、板部３０から図示上方に突出するように形成される。そして台部３１の図示上側の面は平坦に形成されて、液晶パネル２が載置できるようになっている。押え部３２は、板部３０の図示上側の面の、液晶パネル２の１端辺に沿った線状の位置において、板部３０から図示上方に突出して、図２に示された断面において逆Ｌ字状に形成されている。
【００２６】
液晶パネル２は、押え部３２の図示下側の面と台部３１の図示上側の面に挟持されるように配置される。その際、押え部３２は弾性を有して、その弾性復元力によって液晶パネル２を挟んで位置を固定するとすればよい。板部３０、台部３１は例えば樹脂で一体に成形し、押え部３２は後述のとおり金属で形成してもよい。
【００２７】
なお、台部３１の形成を省略して、板部３０と押え部３２とで液晶パネル２を挟持する形状としてもよい。また押え部３１の形状は図１のものに限定されない。図１では押え部３１は液晶パネル２の１辺と同じ長さを有するが、それより短くても、あるいはより小さい押え部３１が複数装備されて液晶パネル２を堅固に保持するとしてもよい。
【００２８】
表示装置１はさらに、液晶パネル２に光を供給するための発光部５を備える。発光部５は、発光ダイオード５０（ＬＥＤ）、導光板５１、反射板５２を備える。図示しない駆動部により駆動されたＬＥＤ５０が発光し、その光が導光板５１内に進入する。そして反射板５２で反射されつつ、導光板５１全体に光が誘導されて、導光板５１の図示上側の面全体から液晶パネル２へ向けて光が照射される。
【００２９】
上述のとおり、本発明の主要目的は、液晶パネル２が静電気の影響で誤表示などの不具合を起こさないように、静電気等により電荷を受けても液晶パネル２に電界が生じないようにし、電荷を速やかに逃がすことである。この目的のために、表示装置１は、透明導電膜４及び、それを接地する部材を備える。
【００３０】
透明導電膜４は、表面部４０、裏面部４１、側面部４２からなる。表示装置１では、液晶パネル２においてリード線３４を配線する面を１つの側面に集約しておいて、側面部４２は、それ以外の３つの側面全てに形成している。そして表面部４０、裏面部４１、側面部４２は一体に形成して、液晶パネル２の５つの面を当接して覆うように配置されている。すなわち表面部４０、裏面部４１が液晶パネル２の主表面（周知のとおり最も面積が大きい面、図１では四角形（正方形、長方形））と同じ形状として、液晶パネル２の主表面の全体を当接して覆うように図示上下から液晶パネル２を挟む。そして側面部４２が液晶パネル２の３つの側面に当接する。
【００３１】
透明導電膜４は、液晶パネル２の表面に蒸着法、スパッタ法、ＣＶＤ法、スピンコート法などの方法で直接形成してもよい。あるいは柔軟性のある透明導電性フィルムを別に形成して、液晶パネル２の表面、裏面、側面に貼付してもよい。透明導電膜４の材質は透明で導電性を有する材質ならば限定なく用いることができ、例えばＩＴＯ（Ｉｎｄｉｕｍ−Ｔｉｎ−Ｏｘｉｄｅ）などとすればよい。
【００３２】
透明導電膜４の側面部４２は液晶パネル２の一方の側面全てを覆うように形成してもしなくてもよく、側面の少なくとも一部に形成されて表面部４０と裏面部４１とを連結してもよい。その場合、透明導電膜４の側面部４２は、液晶パネル２から基板部３への配線３４を回避した位置に形成する。
【００３３】
さらに表示装置１は、透明導電膜２の電荷を直ちに逃がすための構成として、図１に示されているように、基板部３上で押え部３１の付け根部分に当たる部位に接地回路３３（アース回路）を備える。そして押え部３１は金属製などとして導電性を有するようにする。
【００３４】
以上に述べたような透明導電膜４では表面部４０と裏面部４１とが側面部４２で繋がっているので、静電気などの影響で透明導電膜４の表面部４０と裏面部４１とが電荷を得ても、瞬時に電荷が移動して、表面側と裏面側との電位差は瞬時にゼロとなる。さらに電荷は、押え部３１を通じて直ちに接地回路３３に移動する。したがって電荷を受けた瞬間にも液晶には電界がかからないので誤表示しない。上記のとおり従来技術では例え瞬時であっても誤表示して、それが比較的長時間誤表示が続く場合があるのに対して、本発明では瞬時でも電界がかからないので静電気などによる誤表示が確実に防止できる。
【００３５】
本発明の実施形態は以上述べた表示装置１に限定されるわけではない。図４から図６に示された表示装置１ａ、１ｂ、１ｃのような形態でもよい。以下でこれらを説明する。
【００３６】
図４の場合、接地回路３３が台部３２の付け根部分に形成されている。この接地回路３３と繋がった台部３２は金属製などとして導電性を有するようにする。これにより透明導電膜４が受けた電荷は台部３２を通じて接地回路３３へと直ちに逃がされる。
【００３７】
図５の場合、液晶パネル２から基板部３上の回路への配線３４に、接地回路３３へ接続されるリード線３５を加えている。リード線３５は透明導電膜４のどこに接続してもよいが、上述の他のリード線３４が配置されている領域（あるいはその近傍）とすれば配線が整理される。これにより、透明導電膜４が受けた電荷はこのリード線３５をを通じて接地回路３３へと直ちに逃がされる。
【００３８】
また本発明は、基板部３以外によって液晶パネル２を固定してもよい。図６の表示装置１ｃでは、液晶パネル２など表示装置１全体を筐体６内に収容し、その際に筐体６に押え部３１と同じ役割を果たしている。具体的には筐体６に、図示のとおり内方に屈折する屈折部６０を形成して、これにより液晶パネル２を保持している。
【００３９】
そして筐体６の内壁面のうち液晶パネル２の側面部４２に当接する位置に接続部３６を形成する。接続部３６は例えば金属製などのように導電性を有するとし、基板部上に形成された接地回路と電気的に接続されているとする。こうした構成によっても、透明導電膜４が受けた電荷を接地回路へと直ちに逃がすことができる。
【００４０】
また本発明では、発光部５と液晶パネル２の間に基板部３が配置されていなくてもよい。図６の例では、液晶パネル２の駆動用の基板部は、図示しない場所、例えば液晶パネル２の図示側方に配置しているとする。そして接続部３６と基板部とを電気的に接続するように構成されているとする。また図６では筐体６の底面が反射板５２も兼ねており、コンパクトな構成としている。
【００４１】
なお本発明の液晶パネル２は上記のような四角形状（正方形、長方形）のみに限定されず、円、楕円や多角形など他の形状でもよい。
【符号の説明】
【００４２】
１、１ａ、１ｂ、１ｃ    表示装置
２    液晶パネル（液晶表示部）
３    基板部
４    透明導電膜
３１    押え部（保持部）
３２    台部（保持部）
３３    接地回路（接地部）
【図１】
2011133594.tif 000003
【図２】
2011133594.tif 000004
【図３】
2011133594.tif 000005
【図４】
2011133594.tif 000006
【図５】
2011133594.tif 000007
【図６】
2011133594.tif 000008